(57)【要約】      （修正有）【課題】老犬介護の排尿時、老犬を両手で支えながら使用できること、飛沫も含め受け損ね難いこと、使用後に手から放して置いてもこぼれ難いこと、置きっぱなしにしている尿受け具を犬や人が踏んでもこぼれ難いこと、尿を受ける部分が使用時には外れ難いが取り付け取り外ししやすいこと、何度も使う柄付枠に直接尿が掛かり難いこと、以上の条件を満たす尿受け具を提供する。【解決手段】樹脂あるいは金属等汚れが浸み込みにくい素材で作った短い柄付枠１０に、袋状にする折り方で一枚の吸水シート１１を袋状に折り、その折った袋状吸水シート１１が短い柄を含めた枠全体を覆う様に組み合わせたことを特徴とする尿受け具を作成した。【選択図】図１
2019150007.tif 000002
【特許請求の範囲】
【請求項１】
樹脂あるいは金属等汚れが浸み込みにくい素材で作った柄付枠に、一枚の吸水シートを袋状に折り、枠に被せられるよう折り返して柄付枠と組み合わせたことを特徴とする尿受け具である。
【請求項２】
一枚の吸水シートを短い柄を含む柄付枠全体を覆いかつ袋状にする折り方で折った袋状吸水シートを用いたことを特徴とする請求項１の尿受け具である。
【請求項３】
請求項２の折り方の袋状吸水シートを量産できるように作成した型紙を用いて折った吸水シートを用いたことを特徴とする請求項２の尿受け具である。
【発明の詳細な説明】
【技術分野】
【０００１】  この発明は、犬の糞尿受け具に関する。
【背景技術】
【０００２】  老犬もだんだんと自立困難になってくると介護人の支えや運搬を必要とする場面が増えてくる。特に排尿時には、よろけて倒れたり、排泄物を踏んだり、また体勢の変化によっては尿が老犬自身の体にかかることもある。排尿場所を設け老犬を運搬したとしても、排尿場所や老犬自身の体を汚すと後始末が必要になり、介護人の余計な仕事が増え、老犬にとってもストレスとなる。従って、排尿時には、介護人は老犬がよろけてもすぐに支えられるように出来るだけ両手を空けておく必要がある。また老犬自身の体に尿がかからないようにするには出来るだけ尿出口近くで尿を受ければ良いが、使用後の尿受け具をすぐに片づけられずに老犬を支えたり運搬したりする必要があるので、使用後の尿受け具をしばらくの間置きっぱなしにしなければならないことも多い。【０００３】  以上のことから、老犬介護用の尿受け具に要求されることは、老犬を両手で支えながら尿出口近くで使用できること、家の中での使用を考慮して受け損ねる等の失敗が少ないこと、使用後に手から放して置いてもこぼれ難いこと、間違って踏んでもこぼれ難いこと。また、尿を受ける部分が使用時には外れ難いが取り付け取り外ししやすいこと。そして、何度も使う柄付枠に尿が掛かり難く、柄付枠を洗う仕事をできるだけ減らせることと考えた。【０００４】  従来の犬の糞尿受け具は主に散歩中に使用することを前提としていて、犬が自立していることや外で使用しやすいように考案されている物が多い。また、散歩中の糞処理はほぼ必須となっているが尿処理はまだ必須とは言い難い。このため、固形物である糞を処理しやすいことが主で、液体の尿について考慮されているものはあまりなかった。例えば、持ち手を付けた工夫した枠にプラスチック袋を取り付けた物や、スプーン状の平面受け皿に吸水シートを取り付けた物が有った。
【先行技術文献】
【特許文献】
【０００５】
【特許文献１】特開２０１２−０３４５８８号公報
【特許文献２】特開２０１２−２３５７６３号公報
【発明の概要】
【発明が解決しようとする課題】
【０００６】  しかしながら、以上の技術によれば、プラスチック袋では尿を受けた後で手から放して置いた時や踏んでしまった時にはこぼれやすい。また、吸水シート式は飛沫が周囲に飛び散りやすいと思われるが、尿を受け損ねてもすぐに拭き取れるように考案されているので家の中での使用には向かない。【０００７】  そこで、この発明の課題は、老犬を両手で支えながら使用できること、飛沫も含め受け損ね難いこと、使用後に手から放して置いてもこぼれ難いこと、置きっぱなしにしている尿受け具を犬や人が踏んでもこぼれ難いこと、尿を受ける部分が使用時には外れ難いが取り付け取り外ししやすいこと、何度も使う柄付枠に直接尿が掛かり難いこと、以上の条件を満たす尿受け具を提供することである。
【課題を解決するための手段】
【０００８】  以上の課題を解決するために、第一発明は、樹脂あるいは金属等汚れが浸み込みにくい素材で作った柄付枠に、一枚の吸水シートを袋状に折り、枠に被せられるよう折り返して柄付枠と組み合わせたことを特徴とする尿受け具である。
第二発明は、一枚の吸水シートを短い柄を含む柄付枠全体を覆いかつ袋状にする折り方で折った袋状吸水シートを用いたことを特徴とする第一発明の尿受け具である。
第三発明は、第二発明の折り方の袋状吸水シートを量産できるように作成した型紙を用いて折った吸水シートを用いたことを特徴とする第二発明の尿受け具である。
【発明の効果】
【０００９】  第一発明または第二発明によれば、吸水シートはプラスチック袋と比べて変形しにくいので、枠に何らかの方法で固定しなくても吸水シートを折り返して枠にぶら下げるように組み合わせるだけで、尿の重さ程度が加わってもずり落ちることはなく、取り付け取り外しが簡単である。また、手に収まる程度の短い柄を用いれば老犬を支えながら排尿を受けるのに持ちやすく、多少尿が外れても、柄付枠全体を覆っている吸水シートが尿を受けるので柄付枠に直接尿がかからない。また、袋状なので尿出口にできるだけ近づければ尿を受け損ね難く、飛沫も飛び散り難くい。また、吸水シートが吸水すれば使用後に手から放して置いてもこぼれ難く、踏んでもこぼれ難い。そして、第三発明によれば、型紙を包むように吸水シートを折るだけで同一サイズの尿受け吸水シート部分を効率よく作ることが出来る。
【図面の簡単な説明】
【００１０】
【図１】この発明の一実施形態を示す斜視図その１である。
【図２】この発明の一実施形態を示す斜視図その２である。
【図３】吸水シートの折り方その１を示す図である。
【図４】吸水シートの折り方その２を示す図である。
【図５】吸水シートの折り方その３を示す図である。
【図６】吸水シートの折り方その４を示す斜視図である。
【図７】吸水シートを折る為の型紙の斜視図である。
【図８】型紙を用いた吸水シートの折り方その１を示す図である。
【図９】型紙を用いた吸水シートの折り方その２を示す図である。
【図１０】型紙を用いた吸水シートの折り方その３を示す図である。
【図１１】この発明の一実施形態の使用例を示す斜視図である。
【図１２】この発明の実施例２の型紙の置き方を示す図である。
【図１３】この発明の実施例２を示す斜視図である。
【発明を実施するための形態】
【実施例１】
【００１１】  この発明の一実施形態を図１に示す。
本実施例では市販の吸水シートを用いた。サイズの一例は約３３ｃｍ×４５ｃｍである。一枚の吸水シート１１を図３から図６までで示す方法で袋状に折り、袋状に折った吸水シート１１の大きさに合うように短い柄の付いた柄付枠１０を針金のような金属で作成し、袋状に折った吸水シート１１が柄付枠１０全体を覆うように組み合わせる。柄付枠１０サイズの一例は素材直径約３ｍｍ、柄付枠１０全体の長さが約２５ｃｍ、柄の長さが約１０ｃｍ、枠の一番太い部分の幅が約１０ｃｍである。また、本尿受け具使用時に吸水シート１１が犬の脚等に触れた場合のずれ上がりを防止することと吸水シート１１の取り外しやすさとを考慮して、柄付枠１０の枠全部ではなく一部に滑り止めシートや滑り止め塗料などを用いて滑り止め１２を施した。滑り止め１２の長さの一例は約５ｃｍである。これを図２に示すように吸水シート１１の上から柄を握り使用すると、ほぼずれ上がらなくなる。散歩のように長時間持ち歩くとずれ上がってくるかもしれないが、老犬介護時は長くてもほんの数分しか持ち歩かないので実用上十分であり、取り外しやすさは忙しい老犬介護において重要である。【００１２】  次に吸水シート１１の折り方を図３から図６までに示す。
図３に示すように吸水シート１１を、折り順１、折り順２、折り順３の順に折ると図４のようになる。後工程作業のしやすさや使いやすさのため、図４で示すように形状を維持できるように接着テープ３１の位置を接着剤や接着テープ等を用いて固着させる。本実施例では固着にはすべて接着テープを使った。折り順４で吸水シート１１を折り開くと、柄付枠１０全体を覆う部分になり図５のようになる。接着テープ３２の位置は吸水シート１１が３枚重なっているので使いにくいようなら図５に示すように３枚がばらばらにならないように接着テープ３２で固着させる。図６は折った袋状吸水シート１１の内側を示したものであるが、接着テープ３３の位置は吸水シート１１の折り目であり尿が直接かかると外にこぼれてしまうので接着テープ３３で固着させるが、この折り目に尿がかからないのであればそのままでも良い。【００１３】  吸水シート１１の折り寸法が確定した後、量産用に図７に示す型紙２０を作成する。そして、吸水シート１１を折り開く際の目安が必要なら折り返し目安線２１を引く。型紙２０のサイズは図１０に示すように包み込むように折った時に完成するサイズである。型紙２０の素材は梱包用段ボール箱を切って利用したが、厚さ数ミリメートル程度の板状で、包むように折った後で容易に抜き出せる程度の表面の滑らかさがあれば、紙、金属あるは樹脂でも良い。型紙２０を用いて吸水シート１１を折る際には、図８に示すように吸水シート１１の上に型紙２０を乗せてから図３から図６までに示した手順通りに型紙２０を包むように折り進める。この手順概略を図９、図１０に示す。
「実施形態の効果」【００１４】図１１は本尿受け具を用いた実際の排尿介護作業の例である。片手は首付近を支え、もう片方の手で本尿受け具を持ちながら老犬の胸あたりを支えることができる。使用後の吸水シート１１が吸水すれば、手から放して脇に置き両手で老犬を支え直しても尿がこぼれ難く、踏んでも破れてもこぼれ難い。また、使用後の吸水シート１１の取り外しは、片手で老犬を支えながらもう片方の手だけでできるので、その場で吸水シート１１をゴミとして捨てることや老犬を運搬しながら柄付枠１０だけを定位置に持ち帰ることも可能である。老犬の状態によっては、排尿直後の老犬から手が離せないうちに次の排尿が訪れることもあるので、排尿後速やかに柄付枠１０と吸水シート１１を組み合わせて次に使う尿受け具の準備ができることは重要である。柄付枠１０と吸水シート１１を組み合わせるのに両手が必要だが時間はかからないので、特に手がかかる老犬でもほんの少しの間手を放している間に準備できる。また、排尿場所が設けてあり、一度使用した吸水シート１１を何度か使う場合には、置きっぱなしにしておいても尿がこぼれることはないので、定位置に置いておくこともできる。
【実施例２】
【００１５】  排尿時の老犬と介護人との位置関係や、老犬の排尿状態と本尿受け具の位置関係等によっては、図６に示した吸水シート１１の折り目である接着テープ３３の位置に直接尿が掛かることがあるが、その時にこぼれないように接着テープ３３で固着させているので尿がこぼれることは無い。しかし、折り目である接着テープ３３の位置に直接尿がかからないようにするには、図１２に示すように型紙２０を左右反転させ、吸水シート１１の左右反対側に揃えてから折ると、図１３に示すように、図６と比べて、折り目である接着テープ３３の位置が柄から見て左右逆になるので、吸水シート１１の折り目である接着テープ３３の位置に尿が直接かからないようにできる。
【実施例３】
【００１６】  実施例１では、市販の吸水シート一枚をそのまま用いたが、尿量があまり多くない犬用に、市販の吸水シートを半分に切ったサイズにした。柄付枠１０も型紙２０も実施例１と同様の方法で作成した。サイズの一例は、吸水シート１１が約２３ｃｍ×３３ｃｍ、柄付枠１０の素材直径約３ｍｍ、柄付枠１０全体の長さが約１８ｃｍ、柄の長さが約７ｃｍ、枠の一番太い部分の幅が約７ｃｍ、滑り止め１２の長さが約３ｃｍである。尿量があまり多くない犬は体も大きくなく後脚の間隔も狭いので、小さな犬等の尿出口に近づけやすい。また、吸水シート１１の吸水性能限界まで何度も使うことも考えられるが、吸水シート１１の脱臭性能によるが、長時間経過すると発生する臭いを考慮し、早めに捨てても惜しくないサイズであり経済的である。
【符号の説明】
【００１７】１０  柄付枠
１１  吸水シート
１２  滑り止め
２０  型紙
２１  折り返し目安線
３１  接着テープ
３２  接着テープ
３３  接着テープ
１  折り順
２  折り順
３  折り順
４  折り順
【図１】
2019150007.tif 000003
【図２】
2019150007.tif 000004
【図３】
2019150007.tif 000005
【図４】
2019150007.tif 000006
【図５】
2019150007.tif 000007
【図６】
2019150007.tif 000008
【図７】
2019150007.tif 000009
【図８】
2019150007.tif 000010
【図９】
2019150007.tif 000011
【図１０】
2019150007.tif 000012
【図１１】
2019150007.tif 000013
【図１２】
2019150007.tif 000014
【図１３】
2019150007.tif 000015